(57)【要約】本発明は、動脈瘤の治療方法に関し、ここでは動脈瘤嚢が非粒状剤もしくは複数のこうした剤及び／または原位置で固化する流動組成物で充填される。動脈瘤嚢の充填には、前記動脈瘤嚢への血流を阻止するために、非粒状剤もしくは複数のこうした剤及び／または流動組成物の十分量が使用される。更に、本発明の方法は、治療した哺乳類の全身系血流からの、動脈瘤嚢に対して近位及び遠位の親動脈の非内因性隔離をもたらす。これら特徴の組み合わせは、動脈瘤嚢の治療を提供する一方で、同時に治療済み動脈瘤の近位及び遠位の動脈壁の疾患部分において、動脈瘤形成及び／または再成長を抑制する。
2004515271.tif 000002
【特許請求の範囲】
【請求項１】
（ａ）哺乳類の患者における動脈瘤の脈管部位を同定する工程であって、前記動脈瘤が親動脈の脈管壁から形成される動脈瘤嚢を含み、更に前記動脈瘤嚢が前記患者の全身系の血流に関与する工程；
（ｂ）前記動脈瘤嚢の少なくとも一部に、流動組成物及び／または非粒状剤もしくは複数の前記剤を充填することによって、前記動脈瘤への全身系血流の流入を阻止する工程；及び、
（ｃ）前記動脈瘤から近位及び遠位にあたる親動脈を、全身系血流から非内因的に隔離する工程；
を含む、哺乳類における動脈瘤の治療方法。
【請求項２】
前記非粒状剤もしくは複数の非粒状剤が金属コイルを含む、請求項１の方法。
【請求項３】
前記金属コイルが白金コイルである、請求項２の方法。
【請求項４】
前記流動組成物が、生体適合性ポリマー及び生体適合性プレポリマーのいずれかを含む、請求項１の方法。
【請求項５】
前記流動組成物は、生体適合性ポリマー、生体適合性造影剤、及び前記生体適合性ポリマーを溶解する生体適合性溶媒を含み、ここで、前記組成物が動脈瘤に送達されるとポリマー沈殿物が生成して動脈瘤嚢の少なくとも一部を満たし、これによって動脈瘤嚢への血流を阻止するように、前記組成物中には充分な量のポリマーが使用されている、請求項４の方法。
【請求項６】
前記ポリマー組成物の粘度は、４０℃にて少なくとも約１５０ｃＳｔである、請求項５の方法。
【請求項７】
前記ポリマー組成物が、生体適合性ポリマーを約２乃至５０重量％の濃度で；生体適合性造影剤を約１０乃至約４０重量％の濃度で；及び生体適合性溶媒を約１０乃至８８重量％含み、ここで前記生体適合性ポリマー、造影剤、及び生体適合性溶媒の重量％が全組成物の合計重量に基づく、請求項６の方法。
【請求項８】
前記流動組成物が、生体適合性プレポリマー、生体適合性造影剤、及び任意に生体適合性溶媒を含み、ここで、前記組成物が動脈瘤に送達されるとポリマー沈殿物が生成して動脈瘤嚢の少なくとも一部を満たし、これによって前記動脈瘤嚢への血流を阻止するように、前記組成物中には充分な量のプレポリマーが使用されている、請求項１の方法。
【請求項９】
前記生体適合性溶媒が、ジメチルスルホキシド（ＤＭＳＯ）、エタノール、乳酸エチル、またはアセトンである、請求項５の方法。
【請求項１０】
前記生体適合性溶媒が、ジメチルスルホキシド（ＤＭＳＯ）、エタノール、乳酸エチル、またはアセトンである、請求項８の方法。
【請求項１１】
前記動脈瘤から近位及び遠位にあたる親動脈の、全身系血流からの隔離が、前記動脈瘤嚢に隣接してステントを設置し、前記ステントが親動脈の近位及び遠位の両方向に動脈瘤嚢を越えて延び、前記ステントに覆われた親動脈の動脈壁と血流とを隔離することによって達成される、請求項１の方法。
【発明の詳細な説明】
【０００１】
【発明の属する技術分野】
本発明は、哺乳類の患者における動脈瘤の治療方法に関する。
【０００２】
【従来の技術】
（参考文献）
下記の文献は、本願中に上付文字で引用される。
【参考文献】
2004515271.tif 000003
2004515271.tif 000004
【０００３】
上記参考文献の全てを、各個別の参考文献について明確且つ個別にその全体を参照のためにここに取り込む旨が表示されているのと同程度に、参照のためにここにその全体を取り込むこととする。
【０００４】
動脈瘤は哺乳類の患者、特にヒトの患者において、動脈（壁）が弱まり、動脈壁が血流による圧力の下で「膨張する」といった脈管疾患の結果として起こる。膨張した脈管壁の引き続く成長及び／またはやがて起こる破裂は、高度な罹患率及び死亡率に関連する。
【０００５】
頭蓋内動脈瘤は、破裂前にこれらの動脈瘤を治療する外科手術がしばしば実行不可能であるため、さらにこれらの動脈瘤の破裂は、この患者が前記破裂を生き延びたとしても前記患者に破壊的な結果をもたらしうるため、特に懸念される。したがって、頭蓋内動脈瘤の治療プロトコルは、性質上予防的なもの、すなわち、破裂した動脈瘤からの出血を抑制するよりもむしろ動脈瘤の破裂または再破裂を抑制するためのものであってよい。
【０００６】
頭蓋内動脈瘤の破裂を抑制するために、当業界において充分に発表されている方法には、動脈瘤への送達の後に血栓症を誘発するように設計されていて動脈瘤内への血流を阻止する、金属コイルなどの非粒状剤を動脈瘤嚢内に送達する方法１；動脈瘤嚢内に流動組成物を送達する方法であって、前記組成物が前記嚢内で固化して動脈瘤内への血流を阻止する方法２−６；または非粒状剤と流動組成物との組み合わせを動脈瘤嚢内に送達して動脈瘤内への血流を阻止する方法７−８が含まれる。
【０００７】
それぞれの場合において、頭の動脈瘤は、動脈瘤嚢内への血流を阻止するような方式で前記嚢を満たすことによって治療される。こうした血流の減少は、動脈瘤の圧力の低下と相関し、然るに破裂の可能性の低下と相関する。しかしながら、非粒状剤または流動組成物の動脈瘤嚢を越える移動（これは例えば、前記嚢の過剰充填によって起こりうる）が起こらないように対策を講じなければならない。なぜなら、これは、それ自体が関連して高レベルの罹患率を有する親動脈または遠位の塞栓形成を引き起こしうるためである１２。
【０００８】
【発明が解決しようとする課題】
著しい数の症例についてこれらの方法が動脈瘤破裂の抑制において提供する利点にもかかわらず、治療プロトコルは期間に亘ってのみ有効であるが、これは、治療を受けた患者の、既に処置された動脈瘤において、またはその付近において動脈瘤嚢の再形成または新たな動脈瘤嚢の形成が起こるためである１３−１５。
【０００９】
注意深い分析により、本発明は、非粒状剤及び／または流動組成物を動脈瘤嚢に充填することによる動脈瘤の最初の治療の後に、引き続いて再治療を行う必要があったこと、これは最初の治療が全ての疾患組織に対処しなかったためであるとの発見に基づく。とりわけ、親動脈中の動脈瘤嚢は、動脈壁の最も冒され、よって最も弱い部分のみを反映することがしばしばである。しかしながら、動脈瘤嚢から近位及び遠位にあたる領域はしばしば侵されており、膨張しがちである。然るに、上述の方法によって動脈瘤嚢が充填されている場合は、治療済み動脈瘤の周辺の動脈壁の、別の疾患部分は、いっそう膨張して破裂しやすくなる。この後者の現象が、動脈瘤の再治療につながると信じられている。
【００１０】
Ｓｚｉｋｏｒａらが、動脈瘤の治療において流動組成物と共に多孔性ステントを使用することを開示している１２が、使用されるステントは多孔性ステントであって、使用されるポリマーの量は動脈瘤嚢を完全に充填するのに必要な量より少ない。したがって、ここに開示された技術では、動脈瘤嚢から近位及び遠位にあたる親動脈が、血流から隔離されない。
【００１１】
【課題を解決するための手段】
この発明は、非粒状剤もしくは複数のこうした剤及び／または原位置において固化する流動組成物を動脈瘤嚢に充填する、動脈瘤の治療方法に関する。動脈瘤嚢の充填には、動脈瘤嚢中への血流を阻止するために、非粒状剤もしくは複数のこうした剤及び／または流動組成物の十分量が使用される。さらに、本発明の方法はまた、治療される哺乳類の全身系血流からの、動脈瘤嚢に対して近位及び遠位に当たる親動脈の、非内因的隔離を与える。これらの特徴の組み合わせは、動脈瘤嚢の治療を提供する一方で、同時に、治療した動脈瘤に対して近位及び遠位にあたる動脈壁の疾患部分における動脈瘤形成及び／または再成長を阻害する。
【００１２】
好ましくは、治療した動脈瘤が、頭蓋内（大脳）動脈瘤である。したがって、その方法の態様の１つにおいて、本発明は哺乳類患者における動脈瘤の治療方法に関し、該方法は、
（ａ）哺乳類の患者における動脈瘤の脈管部位を同定する工程であって、前記動脈瘤が親動脈の脈管壁から形成される動脈瘤嚢を含み、更に前記動脈瘤嚢が前記患者の全身系の血流に関与する工程；
（ｂ）前記嚢の少なくとも一部に、流動組成物及び／または非粒状剤もしくは複数の前記剤を充填することによって、前記動脈瘤への全身系血流を阻止する工程；及び、
（ｃ）前記動脈瘤から近位及び遠位にあたる親動脈を、全身系血流から非内因的に隔離する工程；
を含む。
【００１３】
上記の方法においては、非粒状剤は、好ましくは金属コイル、更に好ましくは白金コイルを含む。
【００１４】
本発明の方法において使用される流動組成物は、好ましくは生体適合性ポリマーまたは生体適合性プレポリマーのいずれかを含む。生体適合性ポリマーが使用される場合は、流動組成物は、好ましくは生体適合性ポリマー、生体適合性造影剤、及び生体適合性ポリマーを溶解する生体適合性溶媒を含み、ここで、動脈瘤に送達された際に動脈瘤嚢の少なくとも一部を満たすポリマー沈殿物を形成し、これによって前記動脈瘤嚢への血流が阻害されるように、前記組成物中には前記ポリマーの十分量を使用する。好ましくは、前記ポリマー組成物の粘度は、４０℃において少なくとも約１５０ｃＳｔである。
【００１５】
こうしたポリマー組成物は、例えば、生体適合性ポリマーを約２乃至５０重量％の濃度で；生体適合性造影剤を約１０乃至約４０重量％の濃度で；及び生体適合性溶媒を約１０乃至８８重量％含み、ここで、前記生体適合性ポリマー、造影剤、及び生体適合性溶媒の重量％は全組成物の合計重量に基づく。
【００１６】
好ましくは、この特定の組成物中においては、ポリマーの濃度は６乃至５０重量％、更に好ましくは８乃至３０重量％の範囲である。
【００１７】
好ましくは、前記ポリマー組成物は４０℃において少なくとも約１５０、好ましくは少なくとも約２００、更に好ましくは少なくとも５００ｃＳｔの粘度を有する。更に好ましくは前記粘度は、４０℃にて約２００乃至４００００ｃＳｔ、更に好ましくは４０℃において約５００乃至４００００ｃＳｔの範囲である。別の実施態様においては、前記粘度は４０℃において約５００乃至５０００ｃＳｔの範囲である。
【００１８】
本発明の別の態様においては、前記生体適合性ポリマーを生体適合性プレポリマーで置き換えることも可能であり、このように使用する場合は前記生体適合性溶媒の存在は任意になる。
【００１９】
更に好ましい実施態様においては、生体適合性溶媒はジメチルスルホキシド（ＤＭＳＯ）、エタノール、エチルラクテート、またはアセトンである。
【００２０】
前記動脈瘤に近位及び遠位の親動脈の、全身系血流からの隔離は、好ましくは、動脈瘤嚢に隣接してステントを設置することによって達成され、前記ステントが動脈瘤嚢を越えて親動脈の近位及び遠位の両方向に延び、前記ステントによって覆われた親動脈の動脈壁への血流を隔離する。使用されるステントは、原位置において形成されても、ミクロカテーテル技術によって動脈内に設置されてもいずれでもよい。
【００２１】
あるいはまた、新規なバルーンカテーテルの使用によれば流動組成物の使用が可能になり、動脈瘤嚢中に粘着性の沈殿物を形成し、さらにこれが前記嚢の首部より遠位及び近位方向に延びて、前記動脈瘤嚢を充填すると共に、動脈瘤の位置から遠位及び近位にあたる両方向の全身系血流から、親動脈を隔離する。
【００２２】
いずれの場合においても、本発明の方法は、動脈瘤嚢の部位に対して近位及び遠位の両方の全身系血流に対する、親動脈壁の非内因性隔離をもたらす。前記親動脈は、前記動脈瘤嚢に直接隣接した位置で、または前記親動脈の内周全体の周りで隔離される。前記親動脈は全身系血流から、好ましくは前記動脈瘤に対して少なくとも約２乃至１０ｍｍ近位及び遠位にて隔離され、更に好ましくは、前記動脈瘤に対して約３乃至５ｍｍを越えない近位及び遠位にて隔離される。
【００２３】
本発明を、添付の図面に示される好ましい実施態様を参照して、ここにより詳細に説明するが、図中においては同一成分には同一の参照番号を付した。
【００２４】
【発明の実施の形態】
本発明は、哺乳類における動脈瘤の治療方法に関する。しかしながら、本発明を詳細に論じる前に、以下の用語をまず定義する。
【００２５】
「生体適合性ポリマー」なる語は、患者に内用した場合に、使用量において無毒性であり且つ実質的に非免疫原性であって、前記哺乳類の体液中に実質的に不溶性であるポリマーを意味する。
【００２６】
前記生体適合性ポリマーは、好ましくは非生分解性である。好適な非生分解性生体適合性ポリマーには、例として、セルロースアセテート類２−６（セルロースジアセテートを含む）、エチレンビニルアルコールコポリマー類、ヒドロゲル類（例えばアクリレート）、ポリアクリロニトリル、ポリビニルアセテート、セルロースアセテートブチレート、ニトロセルロース、ウレタン／カーボネートのコポリマー類、スチレン／マレイン酸のコポリマー類、及びこれらの混合物が含まれる。
【００２７】
生分解性ポリマーは、当該分野において開示されている１８，１９。例えば、Ｄｕｎｎら１８には、生分解性ポリマーの下記の例が開示されている：直鎖状ポリマー類、例えばポリラクチド類、ポリグリコリド類、ポリカプロラクトン類、多価無水物類、ポリアミド類、ポリウレタン類、ポリスチレンアミド類、ポリオルトエステル類、ポリジオキサノン類、ポリアセタール類、ポリケタール類、ポリカーボネート類、ポリオルトカーボネート類、ポリホスファゼン類、ポリヒドロキシブチレート類、ポリヒドロキシバレレート類、ポリアルキレンオキサレート類、ポリアルキレンスクシネート類、ポリ（リンゴ酸）、ポリ（アミノ酸）、ポリビニルピロリドン、ポリエチレングリコール、ポリヒドロキシセルロース、キチン、キトサ、及びコポリマー類、ターポリマー類、及びこれらの組み合わせ。他の生分解性ポリマーには、例えばフィブリン、ゼラチン、コラーゲンなどが含まれる。
【００２８】
好ましくは、使用される前記生体適合性ポリマーは、生体内で使用した場合に不利な炎症反応を引き起こさない。使用される特定の生体適合性ポリマーは、生成するポリマー溶液の粘度、前記生体適合性溶媒中への生体適合性ポリマーの溶解度などに関して選択される。例えば、選択される生体適合性ポリマーは、その使用量において選択される生体適合性溶媒中に可溶性であるべきであり、生じる組成物は、例えば注射などによる生体内送達に好適な粘度を有するべきである。こうした要素は、充分に当業者の技術常識の範囲内である。
【００２９】
例えば米国仮特許出願番号６０／１３５，２８９及び６０／１３５，２８７の表題「ネジ式シリンジ（ＴＨＲＥＡＤＥＤ ＳＹＲＩＮＧＥ）」（代理人事件番号０１８４１３−１９４）及び表題「力解放を備えたネジ式シリンジ（ＳＣＲＥＷ ＳＹＲＩＮＧＥ ＷＩＴＨ ＦＯＲＣＥ ＲＥＬＥＡＳＥ ＭＥＣＨＡＮＩＳＭ）」（代理人事件番号０１８４１３−１９８）は、いずれも１９９９年５月２１日に出願されているが、これらに記載されたネジ式シリンジなどの送達手段は、動脈瘤の脈管部位への流動組成物の送達を補助するために、特に高粘度の組成物を使用する場合に使用することができる。これらの出願のいずれも、参照のためにその全体をここに取り込むこととする。
【００３０】
好ましい生体適合性ポリマーには、セルロースジアセテート及びエチレンビニルアルコールコポリマーが含まれる。
【００３１】
セルロースジアセテートポリマーは、市販品が購入可能であり、または当業者に認識されている処理操作によって調製可能である。
【００３２】
エチレンビニルアルコールコポリマーは、エチレンとビニルアルコールモノマー類との両方の残基を含む。少量（例えば５モルパーセント未満）の付加的モノマーが、前記ポリマー構造中に含まれているか、またはこれにグラフト結合していて良い（こうした付加的モノマーが組成物の特性を変更しないことを条件とする）。こうした付加的モノマーには、単なる例示であるが、無水マレイン酸、スチレン、プロピレン、アクリル酸、酢酸ビニルなどが含まれる。
【００３３】
「造影剤」なる語は、哺乳類の患者に注射している間、例えばＸ線写真などによってモニターすることのできる、生体適合性Ｘ線不透性物質を意味する。前記造影剤は、水溶性または水不溶性のいずれであっても良く、好ましくは使用する成分中に本来存在する量または自然に発生する内生量を越える放射能を含まない（すなわち、「非放射性」である）。
【００３４】
水溶性造影剤の例には、メトリザミド、イオパミドール、イオタラメートナトリウム、イオヘクソール、ヨーダミドナトリウム、及びメグルミンが含まれる。水不溶性造影剤の例には、タンタル、酸化タンタル、及び硫酸バリウムが含まれ、これらそれぞれが、約１０μｍ未満の好ましい粒子サイズを含む、生体内における使用のために適当な形態で購入可能である。他の水不溶性造影剤には、金、タングステン、及び白金の粉末が含まれる。
【００３５】
好ましくは、前記造影剤は水に不溶性である（すなわち２０℃における水溶性が０．０１ｍｇ／ｍｌである）。
【００３６】
「生体適合性溶媒」なる語は、少なくとも哺乳類の体温にて液体であって、ここに生体適合性ポリマーが可溶性である有機物質を意味し、使用量においては実質的に無毒性のものである。好適な生体適合性溶媒には、例えば、ジメチルスルホキシド、ジメチルスルホキシドの類似物／相同物、エタノール、アセトン、エチルラクテートなどが含まれる。生体適合性溶媒との水性混合物もまた使用可能である（但し、使用する水の量が充分に少なく、溶解させたポリマーが血液と接触すると沈殿することを前提とする）。好ましくは、生体適合性溶媒は、ジメチルスルホキシドである。
【００３７】
ポリマー沈殿物中に前記造影剤がカプセル化されることに関して使用される「カプセル化」なる語は、カプセルが医薬品をカプセル化することのような、前記沈殿物中への造影剤のいかなる物理的捕捉も意味しない。むしろ、この語は、個別の成分に分離しない、完全に密着した沈殿物が生成することを意味して用いられる。
【００３８】
「生体適合性プレポリマー」なる語は、生体内で重合化してポリマーを形成する物質を意味し、これは使用量においては、患者に内用した場合に無毒性であり且つ実質的に非免疫原性であり、また実質的に血液に不溶性である。好適な生体適合性プレポリマーには、例えば、ウレタン類、シアノアクリレート類、（Ｃ１−Ｃ６）ヒドロキシアルキル（Ｃ１−Ｃ６）アルカクリレート（例えばヒドロキシエチルメタクリレート）、シリコーンプレポリマー類などが含まれる。前記プレポリマーは、モノマーまたは反応性オリゴマーのいずれであっても良い。好ましくは、生体適合性プレポリマーは、生体内で使用した場合に、不利な炎症性反応を引き起こさない。
【００３９】
「ステント」は、血管壁と接触させて設置された場合、または血管壁周囲にまたはこれと接触させて原位置形成された場合に、前記血管壁を完全に保持する装置である。ステントは、管体（例えば血管壁）の開通性を維持する機能を果たし、特に血管内における移植片として使用される。ステントは、血管形成術後に、術後の血管の急性再閉塞を予防するために使用しても良い。ステントは、プラークを切除するアテレクトミーの後、または拡張に先立って動脈壁に印を付けるカッティングバルーン血管形成の後に、当該脈管の短期的及び長期的な開通性を維持するために使用してよい。ステントは、バイパス移植においても脈管開通性を維持するために使用してよい。脈管壁が再度閉塞してゆく自然な傾向を示す患者がいるが、実際にステントはこれを解消し、よって、前記ステントが設置されていない場合よりも、前記脈管を流れる血液をより正常な流れとして維持する。
【００４０】
好適なステントには、開放性の、格子状または多孔性のステントが含まれ、ここでは前記ステントの構造は、１つ以上の開口部または孔を有する、事実上メッシュ様のものである。前記ステントの開口部の少なくとも１つのサイズは、カテーテルが該ステントを通るのに充分なほど大きいことが好ましい。約０．１ｍｍ乃至約１０ｍｍの開口部が、前記開口部にカテーテルを通すのに好ましい。約１．０ｍｍ乃至約１０ｍｍの開口部が、前記開口部にカテーテルを通すのにいっそう好ましい。
【００４１】
あるいはまた、表面に１つ以上の溝（山形などの）を有するステントであって、ステントと動脈壁との間に空洞が作り出されるようなステントもまた、本発明の方法において使用することができる。
【００４２】
「液体浸透性バルーン」は、少なくとも部分的には浸透性バルーン膜を含み、前記膜が、正の圧力下において、生体適合性ポリマーまたはプレポリマー、生体適合性溶媒、及び造影剤等の液体組成物を含む組成物を透過させるバルーンである。
【００４３】
浸透性バルーン膜は、好ましくは１０μｍ以下の粒子サイズを有する不溶性粒子の通過が可能なように選択される。使用される正の圧力は、好ましくは少なくとも５気圧、更に好ましくは５乃至７５気圧、更にいっそう好ましくは１０乃至５０気圧、よりいっそう好ましくは５乃至３０気圧、更により好ましくは５乃至２０気圧である。前記バルーン中に使用される浸透可能物質は、上述の基準に見合う限り重要ではない。こうした物質には、例えば、延伸ポリテトラフルオロエチレン（ＰＴＦＥ、商品名Ｇｏｒｔｅｘ（登録商標））、ポリエチレンテレフタレート（Ｄａｃｒｏｎ（登録商標）、Ｄｕ Ｐｏｎｔ， Ｗｉｌｍｉｇｔｏｎ， ＤＥ）、及びレーザードリルで開けた開口部を有するポリエチレンが含まれる。液体浸透可能バルーンは、更にＲａｃｃｈｉｎｉらによっても開示されている１０。
【００４４】
「非粒状剤」なる語は、血管中に設置された場合に血管の塞栓形成をもたらす、別個の物理形状または構造を有する生体適合性の巨視的固体物質を意味する。前記非粒状剤は、微視的（すなわち１ｍｍ未満のサイズ）である粒子とは対象的に、巨視的（すなわち約１ｍｍまたはより大きなサイズ）である。こうした非粒状剤の例には、コイル（金属コイル、とげを備えたコイルなどを含む）、シルクストリーマー、プラスチックブラシ、分離可能バルーン（例えば、シリコーン又はラテックスのバルーン）、フォーム（例えばポリビニルアルコールフォーム）、ナイロンメッシュなどが含まれる。こうした非粒状剤は、一般的には購入可能である。例えば、白金コイルはＢｏｓｔｏｎ Ｓｃｉｅｎｔｉｆｉｃより入手可能である
【００４５】
使用される特定の非粒状剤は重要でないが、好ましい剤には、金属コイル、とげの付いた金属コイル、繊維（例えばＤａｃｒｏｎ（登録商標）ウール繊維）の付いた金属コイル、及び／またはストリーマーなどが含まれる。更に好ましくは、白金コイルが使用される。
【００４６】
「親動脈」とは、動脈瘤が形成された動脈を意味する。
「動脈瘤」とは、動脈壁の膨張を意味し、これは継続的な圧力の下で動脈瘤成長及び／または動脈瘤破裂をもたらす。この定義には、破裂したが例えば血栓形成などによって生体内で封止された動脈瘤が含まれる。明らかなように、いったん動脈瘤が血栓形成されれば、出血は止まる。
【００４７】
「親動脈の非内因性隔離」とは、全身系血流から親動脈の動脈壁を隔離する処理操作を意味し、これは、親動脈の完全な隔離を行うために、生体組織の形成にのみ依存しない処理操作である。この点に関して、例えば、内因性組織が成長して多孔質ステントを覆い、親動脈の血液循環からの隔離が起こるには、しばしばステントの設置後数週間かかり、この期間の間に動脈瘤嚢の再成長または新たな動脈瘤の形成が起こりうる。
【００４８】
「近位」とは、半径方向に動脈瘤嚢の上流にあたる親動脈の動脈壁、動脈瘤嚢の周辺または反対側の動脈壁を含む表面領域を意味する。
【００４９】
「遠位」とは、半径方向に動脈瘤嚢の下流にあたる親動脈の動脈壁、動脈瘤嚢の周辺または反対側の動脈壁を含む表面領域を意味する。
【００５０】
「固化」は、流動組成物中におけるプレポリマーの原位置重合化、または流動組成物中におけるポリマーの沈殿のいずれかによる、固体物質の原位置形成を意味する。
【００５１】
（組成物）
本発明の方法において使用されるポリマーまたはプレポリマー組成物は、好ましくはまず定法によって調製するが、ここでは各成分を添加し、生じた組成物を、全組成物が実質的に均一になるまで撹拌する。
【００５２】
例えば、ポリマー組成物は、生体適合性溶媒に生体適合性ポリマーの十分量を加えて、ポリマー組成物として有効な濃度を達成することによって調製することができる。好ましくは、前記ポリマー組成物は、ポリマー組成物全重量に基づいて約２乃至約５０重量％の生体適合性ポリマーを含む。必要であれば、穏やかな加熱及び撹拌を行って、前記生体適合性溶媒中に生体適合性ポリマーを溶解させることができる（例えば５０℃にて１２時間）。
【００５３】
次に、十分量の造影剤を前記組成物に加えて全組成物として有効な濃度を達成する。好ましくは、該組成物は、約５乃至４０重量％の造影剤、更に好ましくは１０乃至４０重量％の造影剤を含む。
【００５４】
生体適合性溶媒は、組成物全重量に基づいて、好ましくは前記組成物の約４０乃至約９０重量％、更に好ましくは約５０乃至約９０重量％を成す。
【００５５】
水溶性造影剤を使用する場合は、前記剤は、非水性溶媒を含む溶液中に可溶性であることが典型的であり、撹拌により当該組成物は均一になる。
水不溶性造影剤を使用する場合は、前記剤は、生体適合性溶媒中に不溶性であって、生成する懸濁液を均一にするために撹拌を行う。懸濁液の生成を促進するためには、水不溶性造影剤の粒子サイズは、好ましくは約１０μｍ以下、更に好ましくは約１乃至５μｍ（例えば、約２μｍの平均サイズ）である。
【００５６】
１つの実施態様においては、例えば分割法により１０μｍ未満の粒子サイズを有する造影剤が調製される。こうした実施態様においては、約２０μｍ未満の平均粒子サイズを有するタンタルなどの水不溶性造影剤が、好ましくは清浄環境中において、（無水）エタノール等の有機液体に加えられる。生じる懸濁液の撹拌に次いで、およそ４０秒間静置すると、大きな粒子ほどより速く沈殿する。上層の有機液体の除去に次いで粒子から液体を分離することにより、結果として粒子サイズが減少し、これは光学顕微鏡で確認される。当該方法は、所望の平均粒子サイズに達するまで任意に繰り返される。
【００５７】
生体適合性溶媒に成分を加えてゆく特定の順序は重要ではなく、生成する懸濁液の撹拌を、必要に応じて行って均一な組成物を得る。好ましくは、該組成物の混合／撹拌は無水環境下、常温において行われる。生じる組成物は、加熱殺菌された後、必要になるまで好ましくは密閉ビンまたはバイアル中に貯蔵される。
【００５８】
ここに記載した各ポリマーは購入可能であり、また当業者には周知の方法によって調製可能である。例えばポリマーは、典型的には、必要に応じて重合触媒または重合開始剤を利用して、ラジカル、熱、ＵＶ、ガンマ線照射、または電子ビーム誘発性重合などの従来技術によって調製され、ポリマー組成物を提供する。特定の方法による重合化は重要ではなく、利用される重合方法は本発明の一部を成すものではない。
【００５９】
生体適合性溶媒中における溶解性を維持するために、ここに記載されたポリマーは、好ましくは架橋していない。
好適なポリマー組成物の更なる例は、Ｗｈａｌｅｎら１１及びＥｖａｎｓら４によって開示されている。
【００６０】
プレポリマー組成物は、液体（例えば液体プレポリマー）中に使用する造影剤の十分量を加えて、全プレポリマー組成物として有効な濃度を達成することによって調製可能である。好ましくは、前記造影剤は、組成物全重量に基づいて、プレポリマー組成物の約５乃至４０重量％を成す。
【００６１】
生体適合性プレポリマー組成物に可溶性でない造影剤が使用される場合は、生じる懸濁液に均一性を持たせるために、撹拌を行う。懸濁液の生成を促進するために、前記不溶性造影剤の粒子サイズは、好ましくは約１０μｍ以下、更に好ましくは約１乃至約５μｍ（例えば約２μｍの平均サイズ）に維持される。
【００６２】
プレポリマーが液体である場合（シアノアクリレートまたはシリコーンの場合など）は、生体適合性溶媒の使用は必ずしも必要ではないが、当該組成物において適切な粘度、適切な硬化時間などが与えることが好ましい。好ましくは、使用される場合には、前記生体適合性溶媒は、プレポリマー組成物全重量に基づいて、生体適合性プレポリマー組成物の約３０乃至約９０重量％、更に好ましくは約６０乃至約８０重量％、更にいっそう好ましくは約３０乃至７０重量％を成す。生体適合性溶媒が使用される場合、プレポリマー組成物は、典型的には組成物全重量に基づいて約１０乃至約５０重量％、更に好ましくは約２０乃至約６０重量％のプレポリマーを含む。
【００６３】
好適な溶媒には、シアノアクリレート類のためのヨウ素化された大豆油またはポピーシードオイル、及びヒドロキシエチルメタクリレートなどのヒドロキシアクリレート類のための水が含まれる。こうした場合には、前記オイルは、プレポリマーにとっての担体、造影剤、及び重合時間調整剤のいずれとしても作用する。別の溶媒には、好ましくはシリコーンと共に使用されるヘキサメチルジシロキサンが含まれる。
【００６４】
特に好ましい実施態様においては、前記プレポリマーはシアノアクリレートであり、これは好ましくはヨウ素化オイルと１：１の割合で使用される。このように使用される場合は、シアノアクリレート接着剤は、２０℃において約５乃至約４０センチポワズの粘度を有するように選択される。
【００６５】
（方法）
本発明は、動脈瘤嚢に非粒状剤及び／または流動組成物を充填することによる動脈瘤の最初の治療の後に起こる、動脈瘤のその後の再治療が必要であったとの発見に基づく。これは最初の治療が疾患組織の全てには対処できなかったために必要なのである。とりわけ、親動脈中における動脈瘤嚢は、動脈壁の最も冒され、よって最も弱い部分のみを反映することがしばしばである。しかしながら、動脈瘤嚢から近位及び遠位にあたる領域はしばしば侵されており、膨張しがちである。然るに、上述の方法によって動脈瘤嚢が充填されている場合は、治療済み動脈瘤の周辺の動脈壁の、別の疾患部分は、いっそう膨張して破裂しやすくなる。この後者の現象が、動脈瘤の再治療につながると信じられている。
【００６６】
上述の流動組成物は、哺乳類の血管中における動脈瘤の、カテーテル補助による治療方法において、特に頭蓋内動脈瘤の治療において使用することができる。こうした方法においては、固化の際には動脈瘤嚢が固体物質で十分に満たされて前記動脈瘤嚢中への血流が阻害されるように、前記流動組成物の十分量が蛍光計の下でカテーテル送達手段を通って動脈瘤嚢に導入される。あるいはまた、動脈瘤嚢は、その中への血流を阻害するために、十分量の非粒状剤もしくはこのような複数の剤で充填可能である。更にまた、動脈瘤嚢を充填するために、非粒状剤及び流動組成物の組み合わせを使用することも可能である。
【００６７】
非粒状剤、流動組成物、または双方の組み合わせを動脈瘤嚢に送達して、前記動脈瘤への血流を阻害するこれらの方法は、当業者には周知である１−８。
【００６８】
使用する物質の特定の量は、画像（蛍光計）によって観察されるが、動脈瘤嚢の全体積、充填の程度、流動組成物が使用される場合は当該組成物中におけるポリマー／プレポリマーの濃度、前記ポリマーの沈殿（固体生成）の速度等によって規定される。こうした因子は、当業者には周知である。
【００６９】
本発明の方法はまた、動脈瘤嚢の部位に対して近位及び遠位の両方にあたる全身系血流からの、親動脈の非内因性隔離をもたらす。前記親動脈は、前記動脈瘤嚢の直に隣接する位置で、または前記親動脈の全内周に亘って隔離される。この実施態様においては、前記親動脈は全身系血流から、好ましくは前記動脈瘤に対して少なくとも約２乃至１０ｍｍ近位及び遠位にて隔離され、更に好ましくは、前記動脈瘤に対して約３乃至５ｍｍを越えない近位及び遠位にて隔離される。
【００７０】
全身系血流からの、親動脈壁の非内因性隔離のための１つの方法は、下記の実施例３に詳説されるようにダンベルバルーンを使用する原位置ステントの形成である。かかる例においては、ダンベルバルーンにより、動脈瘤嚢全体が流動組成物で充填され、前記流動組成物が動脈瘤の首部からあふれ、前記流動組成物の沈殿／重合により動脈壁に沿ってステントが原位置形成される。あるいはまた、前記動脈瘤嚢には従来技術により非粒状剤を充分に充填して、流入する血流を阻止することができ、その後ダンベルバルーンを実施例３の方式で設置する。すると、流動組成物の送達は、前記非粒状剤の周囲に流動組成物の沈殿／重合をもたらす。更に、流動組成物を動脈瘤首部からあふれさせて前記流動組成物の沈殿／重合により動脈壁に沿ってステントを原位置形成させるために、この組成物は過剰に使用される。
【００７１】
全身系血流からの親動脈壁の非内因性隔離のための別の方法は、下記の実施例４に詳説されるような液体浸透性バルーンを使用する、原位置ステントの形成である。かかる例においては、露出した動脈壁が流動組成物で覆われるように、流動組成物が液体浸透性バルーンによって親動脈の動脈壁に送達される。前記流動組成物の原位置固化が、親動脈の露出した動脈壁を完全に覆うステントの形成をもたらす。
【００７２】
さらにまた、動脈瘤嚢の充填と全身系血液からの親動脈の隔離との両方のための一工程の方法が、下記の実施例５に例示される。この例においては、開口部または多孔性構造を含むダンベルステントが使用される。開口構造は、動脈瘤嚢と並べられ、ミクロカテーテルの先端を前記開口もしくは多孔性構造に通して動脈瘤嚢に入れる。流動組成物は、前記カテーテル先端から、前記動脈瘤嚢が前記流動組成物の十分量で充填されて動脈瘤中への血流が阻害されるように送達される。動脈瘤の首部から前記流動組成物をあふれさせ、前記ステントの開口部もしくは多孔性構造の少なくとも一部を動脈瘤の部位から近位及び遠位の両方においてカプセル化し、これによって親動脈の露出領域を動脈瘤の部分から近位及び遠位の両方において血流から隔離するために、更なる充填が行われる。
【００７３】
各実施態様においては、動脈瘤嚢が、これに通じる血流を阻止するために充填され、一方では親動脈は全身系血流から非内因的に隔離されるが依然として開通している。従来技術とは対照的に、本発明の方法における全身系血流からの親動脈の隔離が、親動脈の完全な隔離を実現するために生体組織の形成のみに依存していないことは、注目に値する重要事項である。この点について、内因性組織が、例えば多孔質ステントを覆って成長し、血液循環から親動脈を隔離するには、例えこれが起こるにしてもしばしばステントの設置後数週間かかり、この期間の間に動脈瘤嚢の再成長または新たな動脈瘤の形成が起こりうる。したがって、例えば多孔性もしくは開口のステントを使用すること自体では、組織成長がこうしたステントの孔を封じるまでは血流から親動脈を隔離することにはならない。
【００７４】
あるいはまた、上述の多孔性ダンベルステントを従来の多孔性ステント、例えばＳｚｉｋｏｒａら１２によって開示されているものと置き換えることが可能である。更にまた、使用するステントは非生分解性（例えばタンタルフィラメント製）または生分解性であってよい。例えば、Ｔａｌｉａら１６を参照のこと。生分解性ステントの使用により、この組織の形成の間は血流から親動脈の動脈壁が隔離される一方で、動脈内皮を覆う組織の形成のための時間が与えられる。
【００７５】
ここに記載の方法において使用される特定のカテーテルは、ポリマー性のカテーテル構成部分が塞栓形成組成物と適合性である（すなわち、カテーテル成分が前記塞栓形成組成物中において容易に分解しない）限りにおいては、重要ではない。この点について、カテーテル成分中においてポリウレタンを使用することが好ましく、なぜならポリウレタンはここに記載の塞栓形成組成物の存在下において不活性であるためである。塞栓形成性組成物と適合性の他の物質は、当業者によって容易に決定可能であり、例えば他のポリオレフィン類、フルオロポリマー類（例えばテフロン（登録商標））、シリコーン等が含まれる。
【００７６】
下記の実施例は、請求の範囲に記載された発明を詳説するために明示されるが、その制限として解釈されるべきではない。
【００７７】
【実施例】
特記のない限り、全ての温度は摂氏である。また、これらの実施例及び他の箇所においても、下記の略号は以下の意味を有する。
ｃｃ＝立方センチメートル
ｃＳｔ＝センチストークス
ＤＭＳＯ＝ジメチルスルホキシド
ＥＶＯＨ＝エチレンビニルアルコールコポリマー
ｇ＝グラム
ｍｇ＝ミリグラム
ｍＬ＝ミリリットル
ｐｐｍ＝百万分の一
ｓｅｃ．＝秒
μｍ＝ミクロン
【００７８】
（実施例１）
この実施例の目的は、本発明において有用な２つの異なるポリマー組成物の調製を示すことである。
【００７９】
（組成物Ａ）
ＥＶＯＨポリマー組成物は、以下のように調製した。
（Ａ）８ｇのＥＶＯＨ（４８モル％のエチレン）；
（Ｂ）３０ｇの、約３μｍの平均粒子サイズ（狭いサイズ分布）を有するタンタル；及び
（Ｃ）１００ｍＬのＤＭＳＯ。
この組成物の各成分を混合し、生じる混合物を均一になるまで撹拌した。
【００８０】
この組成物中においては、造影剤の平均粒子サイズは、分割法によって準備したが、ここでは約２０μｍ未満の平均粒子サイズを有するタンタルを、清浄雰囲気中において（無水）エタノールに加えた。生じる懸濁液の撹拌に次いで、およそ４０秒間静置したところ、大きな粒子ほどより速く沈殿した。上部のエタノールの除去に次いで粒子から液体を分離することにより、結果として粒子サイズが減少するが、これは光学顕微鏡（Ｎｉｋｏｎ Ａｌｐｈａｐｈｏｔ（登録商標））で確認される。当該方法は、平均３μｍの粒子サイズに達するまで、必要に応じて繰り返した。
【００８１】
（組成物Ｂ）
およそ１５．１重量％のＥＶＯＨ（４８モル％のエチレン）
１８．２重量％の微粉化タンタル
およそ６６．７重量％のＤＭＳＯ
粘度＝４０℃においておよそ１１００ｃＳｔ
【００８２】
各場合において、ポリマーをＤＭＳＯ中、５０℃にて撹拌しつつ溶解させた後、微粉化タンタル（平均サイズ３μｍ）を加えた。生じた組成物を約５分間７０℃に加熱した後、ボルテックスミキサーでおよそ２０分間室温にて震盪し、該組成物中に不溶性のタンタルの不均一な懸濁液を得、その後約５分間に亘り７０℃に再度加熱した。
【００８３】
（実施例２）
この実施例の目的は、本発明において有用なプレポリマーの調製を示すことである。とりわけ、８００ｍｇのタンタル粉末を、１００ｐｐｍのＳＯ２を安定剤として含む２ｇのｎ−ブチルシアノアクリレートに加えて、２８重量％のタンタルを含む組成物とすることにより、シアノアクリレートプレポリマー組成物を調製した。該成分を良く混合して、黒色懸濁液を得た。
【００８４】
（実施例３：ダンベルバルーンによる原位置ステントの形成）
この実施例の目的は、動脈瘤嚢内への全身系血流を阻止するために使用することのできる処理操作を示すこと、及びバルーンカテーテル装置を使用して原位置においてステントを形成することによって、動脈瘤から近位及び遠位における親動脈の全身系血流からの隔離を示すことである。一般的に、バルーンカテーテル装置は、動脈瘤嚢付近の脈管部位においてダンベル形状に成形される。流動組成物は、その後前記ダンベルの細い部分の周囲に注入されて原位置ステントを形成することができる。
【００８５】
図１に示されるように、単腔管カテーテル体（１０１）は第一及び第二末端を有し、これらは、第一末端（１０３）が動脈瘤嚢の一方の側の親動脈中に配置されている場合は、第二末端（１０５）が動脈瘤嚢の反対側の親動脈中に配置できるように設置される。第一内部バルーン（１０７）は前記カテーテル体の第一末端の外側をおおって接着される。第二内部バルーン（１０９）は前記カテーテル体の第二末端の外側をおおって接着される。カテーテルには、内部バルーンの注入及び膨張を行うために、第一及び第二のバルーンによって覆われた、該カテーテル体の第一及び第二末端領域中に位置する注入または膨張用の穴（１１１）が含まれる。
【００８６】
外部バルーン（１１３）は、２つの内部バルーンがここに包含されるようにカテーテル体の外側を覆って接着される。２つの内部バルーンが膨張すると、外部バルーンはカテーテル体の第一及び第二末端で膨張し、外部バルーン（１１３）の外部表面に滑らか且つ連続したダンベル形状が与えられる。図１に示した装置が親動脈中において動脈瘤の隣に設置された場合、内部バルーン（１０７及び１０９）の膨張によって作り出された外部バルーン（１１３）の末端のふくらみは、親動脈の開通性を維持するために親動脈中において動脈瘤嚢の両側に配置される。ダンベル形状の外側バルーン（１１３）の細い部分は、親動脈中において動脈瘤嚢に隣接して配置され、原位置ステントを形成するための滑らか且つ連続した表面を提供する。好ましくは、前記外部バルーン（１１３）の細い中心部分もまた、動脈瘤嚢から近位及び遠位に延びて、そこに流動組成物が送達可能なトロイダル空間を形成する。
【００８７】
いったん内部バルーンが膨張すると、第二カテーテルを使用して流動組成物を動脈瘤嚢へ、及び親動脈内におけるダンベル形状の外部バルーンの細い部分周囲の、動脈瘤嚢近隣、近位、及び遠位の空間へ、流動組成物を挿入することができる。送達されるとすぐ、前記流動組成物は、動脈瘤嚢内、及び外部バルーンの細い部分周囲の環状空間内において固化する。該流体が固化した後、該バルーンは収縮させ、該バルーンカテーテル装置は取り除いてよく、後には動脈瘤嚢から近位及び遠位において親動脈を全身系血流から隔離する原位置ステントが残される。前記原位置ステントは、動脈瘤から近位及び遠位の位置において脈管構造の壁を強化し、親動脈の露出部分を血流から隔離する。
【００８８】
上記実施例の別の実施態様としては、単腔管バルーンカテーテルを、図２に示した二腔管カテーテル（２０１）で置き換えることができ、ここでは第一腔管（２０３）が２つの内部バルーンの注入及び膨張を提供し、第二腔管（２０５）が外側バルーンの注入及び膨張を提供する。この二腔管カテーテルの実施態様は、内部及び外部のバルーンの個別の制御を提供する。内部バルーンの注入穴（２０７）は、内部バルーンの制御を提供する。外部バルーンの注入穴（２０９）は外部バルーンの制御を提供する。
【００８９】
別の代替実施態様によれば、前記ダンベル形状のバルーン構造を、膨張させた、実質的に円筒状もしくは直径が一定のバルーンで置き換えても良い。前記バルーンは、トランポリンとして作用し、前記バルーンと親動脈の壁との間に形成された空間に流動組成物が充填され、前記流動組成物が前記バルーンを内側へ押すようにできる。固化すれば、前記バルーンを収縮させて取り除き、あとには原位置ステントが残る。
【００９０】
（実施例４：浸透性バルーンを用いる原位置ステントの形成）
この実施例の目的は、動脈瘤嚢に流動組成物及び／または非粒状剤を充填し、次いで液体浸透性バルーンの使用により動脈瘤の脈管部位の近傍に原位置ステントを形成することによって動脈瘤の近位及び遠位にあたる親動脈を隔離することによって、動脈瘤嚢への全身系血流を阻止するために使用可能である、処理操作を示すためである。
【００９１】
最初に、ここに記載の方法は、動脈瘤嚢に上述のように流動組成物及び／または非粒状剤を充填するために、従来のカテーテル技術を利用する。
【００９２】
第二に、ここに記載の方法は、液体浸透性バルーンカテーテルを動脈瘤の脈管部位に差し向けるために、従来の脈管内カテーテル技術を利用する。液体透過性バルーンカテーテルには、好ましくは不透過性の食塩水充填内部バルーン及び前記内部バルーンと同軸に配置された透過性の外部バルーンが含まれる。いったん液体浸透性バルーンカテーテルが選択された脈管部位に設置されると、内部バルーンを食塩水で膨張させて前記バルーンを脈管部位に設置し、且つ維持する。次いで、流動組成物の外部バルーンへの送達により、外部バルーン内に正の圧力が生じる。浸透性の外部バルーンは膨張し、親動脈の動脈壁と近接する。正の圧力は、好ましくは、水不溶性生体適合性ポリマー、生体適合性溶媒、及び水不溶性造影剤を含む流動組成物の、前記バルーン内への注射の形態で発生させる。いったん膨張すれば、外部バルーンは一定時間（例えば１乃至１０分間）に亘って生理学的条件下において膨張したまま維持され、前記流動組成物の一部が前記浸透性の外部バルーンの穴を通って滲出し、親動脈の動脈壁と接触することになる。浸透性の外部バルーンは、好ましくは、流動組成物の所望の送達パターンを達成するために選択したパターンに並んだ穴を、レーザードリルで開けて形成される。
【００９３】
流動組成物が、浸透性バルーンから脈管部位において生体内導入される場合は、生体適合性溶媒は迅速に体液中に拡散し、固形の非移動性沈殿物もしくは固体物質が生成するが、この沈殿物は水不溶性ポリマーであって、その中に水不溶性造影剤がカプセル化されているものである。この沈殿物は、好ましくは前記バルーンと接触する、親動脈の動脈壁全体を覆う。
【００９４】
プレポリマー組成物を流体浸透性バルーンから生体内導入する場合、前記プレポリマーは迅速に（好ましくは１５分間未満、更に好ましくは５分間未満で）原位置重合し、前記バルーンと接触する親動脈の動脈壁に接触して固形の非移動性物質が形成されるが、前記物質は水不溶性ポリマーであって、その中に造影剤がカプセル化されているものである。
【００９５】
接着性ポリマー（例えばシアノアクリレート）を使用する場合には、硬化したポリマーの前記バルーンへの接着を回避すべく注意を払うべきである。
【００９６】
いずれの場合も、固形の非移動性固体が、脈管部位において原位置ステントを形成し、前記原位置ステントが、動脈瘤から近位及び遠位にあたる動脈瘤の親動脈を、全身系血流から隔離する。形成される原位置ステントのサイズ及び厚さは、選択されるバルーンの穴のサイズ及び列、並びに膨張したバルーンに維持される正の圧力の程度及び継続時間に直接関連する。こうした因子は、充分に当業者の技術常識の範囲内である。好ましくは、本発明の方法によって形成された、原位置形成されたステントの厚さは、約０．０５乃至約１ｍｍ、更に好ましくは約０．０５乃至約０．５ｍｍである。
【００９７】
原位置ステントは、治療しようとする動脈瘤の近位及び遠位にあたる親動脈の壁を保護することによって、治療済み動脈瘤近辺の新たな動脈瘤の発生を予防するという利点を提供する。原位置ステントはまた、動脈瘤部位及び動脈瘤の近位及び遠位において成長中の内皮組織に表面を提供しうる。内皮組織の成長は、親動脈の更なる強化及び血液適合性を与えうる。
【００９８】
（実施例５：ダンベル形状の機械的ステントを用いる原位置ステントの形成）
この実施例の目的は、流動組成物及び／または非粒状剤で動脈瘤嚢を充填し、ダンベル形状の機械的ステントを使用して動脈瘤の脈管部位近傍に原位置ステントを形成することにより動脈瘤の近位と遠位とを隔離することによって、動脈瘤嚢への全身系血流を阻止するための処理手順を示すことである。
【００９９】
本発明のこの実施態様によれば、図３に示されるダンベル形状の機械的ステント（３０１）を、動脈瘤嚢に近接する親動脈中に設置する。前記機械的ステントは、２つの硬い末端部分（３０３、３０５）を有し、これらは該ステントが動脈瘤近傍に設置された場合に、既知の方法、例えば膨張または自己拡張によって親動脈の側面に対して拡張することができる。該機械的ステントはまた、２つの硬い末端部分（３０３、３０５）の間に屈曲性領域（３０７）または開口メッシュまたは別の開口構造を有する。前記機械的ステントの屈曲性領域（３０７）により、取り扱いの容易性が増大し、ステントを動脈瘤の部位に導く際の、脈管を通るステントの追跡可能性が増大する。この屈曲性領域はまた、該ステントが動脈瘤の部位に導かれる際に起こりうる、血管が直線状化される量を最小限にする。該ステント（３０１）の構造は、メッシュ、スクリーン、レーザーカットチューブ、格子、コイル、ワイヤ、または他のあらゆる既知のステント構造から形成されて良い。
【０１００】
前記機械的ステントの屈曲性の中央領域（３０７）の直径は、該ステントの硬い末端部分（３０３、３０５）の直径より小さい。該ステントは、好ましくは、末端領域よりも小さな直径の中央部分を有する、ダンベル形状のバルーンカテーテルによって送達され、配置される。該ステントの屈曲性の中央領域（３０７）及び、これに対応するダンベル形状の設置バルーンの形状の直径はより小さいため、該機械的ステントの屈曲性領域が、動脈瘤の位置にこれを設置した後に親動脈の血管壁に外向きの膨張力を与えることは確かにない。
【０１０１】
前記機械的ステントの設置に際して、より硬い末端部分が該ステントを所定位置に保持し、動脈瘤の遠位及び近位にあたる親動脈の壁面に半径方向の膨張力を加えることによって移動を防ぐ。図４に示されるように、中央領域（３０７）の直径がより小さいことにより、動脈瘤嚢（４０１）の近傍の親動脈の弱った部分に対して、不要な圧力が加わることが防止される。臨床処置においてしばしば起こるように、設置時に該ステントが過剰に膨張した場合でさえも、前記中央領域は親脈管の弱った部分に如何なる半径方向力も加えはしない。
【０１０２】
図５においては、流動組成物（４０５）が、ステントの中央領域の開口メッシュを通って送り込まれうるカテーテル（４０３）によって、動脈瘤嚢及び機械的ステントの中央領域周囲の環状空間に送達される。図６に示されるように、前記流動組成物は動脈瘤嚢に流入し、前記嚢及び、ステントと疾患動脈壁との間の前記ステントの外部表面周囲の空間を満たす。前記機械的ステントの屈曲性の中央領域の直径が小さいことにより、該機械的ステントの小径領域、屈曲性の領域において、親動脈の周囲に原位置ポリマーステントが形成されうる。前記原位置ステントは、動脈瘤の近位及び遠位の位置において脈管構造の壁を強化しうる。屈曲性の前記中央領域の直径が小さいことにより、前記ポリマー物質が動脈瘤の首部を完全に隔離し、前記首部における動脈瘤の再成長を予防することもできる。
【０１０３】
これまでの説明により、組成物及び方法における様々な変形及び変化が当業者には想到されるであろう。添付の請求項の範囲に含まれる、こうした全ての変形を、ここに包含することとする。
【図面の簡単な説明】
【図１】図１は、本発明の１つの実施態様による動脈瘤の治療方法における使用のためのバルーンカテーテルの側面図である。
【図２】図２は、二腔管をもつ、図１のバルーンカテーテルの別の実施態様の側面図である。
【図３】図３は、本発明による動脈瘤の治療方法における使用のためのステントの側面図である。
【図４】図４は、親動脈中において動脈瘤の近くに配置された図３のステントの側面図である。
【図５】図５は、図３のステントの側面図であって、動脈瘤の治療のために前記動脈瘤に流動組成物が送達されている図である。
【図６】図６は、図３のステントの側面図であって、流動組成物が、動脈瘤嚢及び、ステントと疾患壁との間のステント外側表面周辺の空間を満たしている図である。
【符号の説明】
１０１…単腔管カテーテル体、
１０３…第一末端、
１０５…第二末端、
１０７…第一内部バルーン、
１０９…第二内部バルーン、
１１１…注入または膨張用の穴、
１１３…外部バルーン、
２０１…二腔管カテーテル、
２０３…第一腔管、
２０５…第二腔管、
２０７…内部バルーンの注入穴、
２０９…外部バルーンの注入穴、
３０１…ダンベル形状の機械的ステント、
３０３…硬い末端部分、
３０５…硬い末端部分、
３０７…屈曲性領域、
４０１…動脈瘤嚢、
４０３…カテーテル、
４０５…流動組成物。
【国際公開パンフレット】
2004515271.tif 000005
2004515271.tif 000006
2004515271.tif 000007
2004515271.tif 000008
2004515271.tif 000009
2004515271.tif 000010
2004515271.tif 000011
2004515271.tif 000012
2004515271.tif 000013
2004515271.tif 000014
2004515271.tif 000015
2004515271.tif 000016
2004515271.tif 000017
2004515271.tif 000018
2004515271.tif 000019
2004515271.tif 000020
2004515271.tif 000021
2004515271.tif 000022
2004515271.tif 000023
2004515271.tif 000024
2004515271.tif 000025
2004515271.tif 000026
2004515271.tif 000027
2004515271.tif 000028
2004515271.tif 000029
2004515271.tif 000030
2004515271.tif 000031
2004515271.tif 000032
2004515271.tif 000033
2004515271.tif 000034
2004515271.tif 000035
2004515271.tif 000036
2004515271.tif 000037